(57)【特許請求の範囲】
【請求項１】
清掃シートを装着可能な矩形板状のヘッド部と、
前記ヘッド部に連結された柄と、
前記ヘッド部の四隅の１つである第１の隅に取り付けられた第１の弾性部材と、を備え、
前記第１の弾性部材は、前記第１の隅にのみ設けられており、当該第１の隅において前記ヘッド部の底面の一部と前記ヘッド部の２つの側面の各一部とを覆っており、
前記第１の弾性部材は、側面視で前記ヘッド部の前記底面から突出するとともに、平面視で前記ヘッド部の前記側面から突出していることを特徴とする清掃用具。
【請求項２】
請求項１に記載の清掃用具において、
前記第１の弾性部材における前記ヘッド部の前記底面から突出した部分の長さは、２ｍｍ以上５ｍｍ以下である清掃用具。
【請求項３】
請求項１又は２に記載の清掃用具において、
前記第１の弾性部材における前記ヘッド部の前記側面から突出した部分の長さは、３ｍｍ以上１０ｍｍ以下である清掃用具。
【請求項４】
請求項１乃至３の何れかに記載の清掃用具において、
前記第１の弾性部材は、前記ヘッド部に対して着脱可能である清掃用具。
【請求項５】
請求項１乃至４の何れかに記載の清掃用具において、
前記ヘッド部の四隅の他の１つである第２の隅に取り付けられた第２の弾性部材を備え、
前記第２の弾性部材は、側面視で前記ヘッド部の底面から突出するとともに、平面視で前記ヘッド部の側面から突出している清掃用具。
【請求項６】
請求項５に記載の清掃用具において、
前記第２の弾性部材は、前記第２の隅にのみ設けられている清掃用具。
【請求項７】
請求項５又は６に記載の清掃用具において、
前記第２の弾性部材は、前記ヘッド部の前記底面から前記側面にかけて設けられている清掃用具。
【請求項８】
請求項５乃至７の何れかに記載の清掃用具において、
前記第２の弾性部材における前記ヘッド部の前記底面から突出した部分の長さは、２ｍｍ以上５ｍｍ以下である清掃用具。
【請求項９】
請求項５乃至８の何れかに記載の清掃用具において、
前記第２の弾性部材における前記ヘッド部の前記側面から突出した部分の長さは、３ｍｍ以上１０ｍｍ以下である清掃用具。
【請求項１０】
請求項５乃至９の何れかに記載の清掃用具において、
前記第２の弾性部材は、前記ヘッド部に対して着脱可能である清掃用具。
【請求項１１】
請求項５乃至１０の何れかに記載の清掃用具において、
前記第２の弾性部材は、前記第１の弾性部材から離間して設けられている清掃用具。
【請求項１２】
請求項５乃至１１の何れかに記載の清掃用具において、
前記第２の弾性部材は、前記第１の弾性部材と異なる弾性率を有する清掃用具。
【請求項１３】
請求項５乃至１２の何れかに記載の清掃用具において、
前記ヘッド部の四隅の他の１つである第３の隅に取り付けられた第３の弾性部材を備え、
前記第３の弾性部材は、側面視で前記ヘッド部の底面から突出するとともに、平面視で前記ヘッド部の側面から突出している清掃用具。
【請求項１４】
請求項１３に記載の清掃用具において、
前記第３の弾性部材は、前記第３の隅にのみ設けられている清掃用具。
【請求項１５】
請求項１３又は１４に記載の清掃用具において、
前記第３の弾性部材は、前記ヘッド部の前記底面から前記側面にかけて設けられている清掃用具。
【請求項１６】
請求項１３乃至１５の何れかに記載の清掃用具において、
前記第３の弾性部材における前記ヘッド部の前記底面から突出した部分の長さは、２ｍｍ以上５ｍｍ以下である清掃用具。
【請求項１７】
請求項１３乃至１６の何れかに記載の清掃用具において、
前記第３の弾性部材における前記ヘッド部の前記側面から突出した部分の長さは、３ｍｍ以上１０ｍｍ以下である清掃用具。
【請求項１８】
請求項１３乃至１７の何れかに記載の清掃用具において、
前記第３の弾性部材は、前記ヘッド部に対して着脱可能である清掃用具。
【請求項１９】
請求項１３乃至１８の何れかに記載の清掃用具において、
前記第３の弾性部材は、前記第１及び第２の弾性部材から離間して設けられている清掃用具。
【請求項２０】
請求項１３乃至１９の何れかに記載の清掃用具において、
前記第３の弾性部材は、前記第１及び第２の弾性部材と異なる弾性率を有する清掃用具。
【請求項２１】
請求項１３乃至２０の何れかに記載の清掃用具において、
前記ヘッド部の四隅の残りの１つである第４の隅に取り付けられた第４の弾性部材を備え、
前記第４の弾性部材は、側面視で前記ヘッド部の底面から突出するとともに、平面視で前記ヘッド部の側面から突出している清掃用具。
【請求項２２】
請求項２１に記載の清掃用具において、
前記第４の弾性部材は、前記第４の隅にのみ設けられている清掃用具。
【請求項２３】
請求項２１又は２２に記載の清掃用具において、
前記第４の弾性部材は、前記ヘッド部の前記底面から前記側面にかけて設けられている清掃用具。
【請求項２４】
請求項２１乃至２３の何れかに記載の清掃用具において、
前記第４の弾性部材における前記ヘッド部の前記底面から突出した部分の長さは、２ｍｍ以上５ｍｍ以下である清掃用具。
【請求項２５】
請求項２１乃至２４の何れかに記載の清掃用具において、
前記第４の弾性部材における前記ヘッド部の前記側面から突出した部分の長さは、３ｍｍ以上１０ｍｍ以下である清掃用具。
【請求項２６】
請求項２１乃至２５の何れかに記載の清掃用具において、
前記第４の弾性部材は、前記ヘッド部に対して着脱可能である清掃用具。
【請求項２７】
請求項２１乃至２６の何れかに記載の清掃用具において、
前記第４の弾性部材は、前記第１、第２及び第３の弾性部材から離間して設けられている清掃用具。
【請求項２８】
請求項２１乃至２７の何れかに記載の清掃用具において、
前記第４の弾性部材は、前記第１、第２及び第３の弾性部材と異なる弾性率を有する清掃用具。
【発明の詳細な説明】
【技術分野】
【０００１】
本発明は、床の清掃に用いられる清掃用具に関する。
【背景技術】
【０００２】
従来の清掃用具としては、例えば特許文献１に記載されたものがある。同文献に記載の清掃用具は、床の清掃に用いられるものであって、矩形板状のヘッド部と、ヘッド部の上面に連結された柄とを備えている。ヘッド部には、当該ヘッド部の底面を覆うように清掃シートが装着される。ヘッド部の底面を床に当てながら当該清掃用具を動かすことにより、当該ヘッド部に装着された清掃シートで床面を清掃することができる。
【先行技術文献】
【特許文献】
【０００３】
【特許文献１】特開２００８−１６１５９２号公報
【発明の概要】
【発明が解決しようとする課題】
【０００４】
しかしながら、かかる清掃用具を用いて部屋の角を清掃しようとすると、ヘッド部と部屋の角との間にどうしても隙間が生じてしまう。そのため、部屋の角においては、床面の埃を捕集しきれない等、清掃が不充分になりがちである。このように、従来の清掃用具には、部屋の角において床を清掃しにくいという問題があった。
【０００５】
本発明は、上記課題に鑑みてなされたものであり、部屋の角においても床を清掃しやすい清掃用具を提供することを目的とする。
【課題を解決するための手段】
【０００６】
本発明による清掃用具は、清掃シートを装着可能な矩形板状のヘッド部と、上記ヘッド部に連結された柄と、上記ヘッド部の四隅の１つである第１の隅に取り付けられた第１の弾性部材と、を備え、上記第１の弾性部材は、側面視で上記ヘッド部の底面から突出するとともに、平面視で上記ヘッド部の側面から突出していることを特徴とする。
【０００７】
この清掃用具においては、ヘッド部の隅（第１の隅）に第１の弾性部材が取り付けられている。第１の弾性部材は、ヘッド部の底面及び側面から突出している。このため、ヘッド部の第１の隅を部屋の角に押し付けることにより、第１の弾性部材を変形させて当該角に密着させることができる。これにより、部屋の角においても、床の清掃を充分に行うことができる。
【発明の効果】
【０００８】
本発明によれば、部屋の角においても床を清掃しやすい清掃用具が実現される。
【図面の簡単な説明】
【０００９】
【図１】本発明による清掃用具の一実施形態を示す斜視図である。
【図２】図１の清掃用具を示す側面図である。
【図３】図１の清掃用具を示す平面図である。
【図４】図１のIV−IV線に沿った断面図である。
【図５】弾性部材の変形例を説明するための断面図である。
【図６】ヘッド部の変形例を説明するための断面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による清掃用具の一実施形態を示す斜視図である。図２及び図３は、それぞれ図１の清掃用具を示す側面図及び平面図である。また、図４は、図１のIV−IV線に沿った断面図である。清掃用具１は、床の清掃に用いられる清掃用具（フローリングワイパー）であって、ヘッド部１０、柄２０及び弾性部材３２，３４，３６，３８を備えている。
【００１２】
ヘッド部１０は、矩形板状をしている。本実施形態においてヘッド部１０の形状は、略直方体である。ヘッド部１０には、清掃シートを装着することが可能である。清掃シートは、乾いたものであってもよいし、濡れたものであってもよい。清掃シートは、ヘッド部１０の底面（清掃時、床に対向する面）を覆うように装着される。清掃シートは、適宜の手段によりヘッド部１０に固定される。ヘッド部１０の材料としては、例えばプラスチックを用いることができる。
【００１３】
ヘッド部１０の上面には、柄２０が連結されている。柄２０は、清掃用具１の使用者が把持する部分であり、細長い棒状をしている。柄２０は、ヘッド部１０に対して動かないように固定されていてもよいし、ヘッド部１０に対して可動であってもよい。後者の場合、柄２０は、ヘッド部１０との連結部を頂点とする円錐面に沿って運動できるように構成されていることが好ましい。
【００１４】
ヘッド部１０の四隅の１つである隅１２（第１の隅）には、弾性部材３２（第１の弾性部材）が取り付けられている。弾性部材３２は、ゴム等の弾性材料からなる。弾性部材３２は、ヘッド部１０よりも柔らかく変形しやすい。弾性部材３２は、ヘッド部１０に対して着脱可能であることが好ましい。ここで、着脱可能とは、清掃用具１の使用者が、ヘッド部１０及び弾性部材３２を損傷することなく、ヘッド部１０に対する弾性部材３２の取付け及び取外しを容易に行えるということである。
【００１５】
弾性部材３２は、図２からわかるように、側面視でヘッド部１０の底面から突出している。弾性部材３２におけるヘッド部１０の底面から突出した部分の長さｄ１は、２ｍｍ以上５ｍｍ以下であることが好ましい。また、弾性部材３２は、図３からわかるように、平面視でヘッド部１０の側面から突出している。弾性部材３２におけるヘッド部１０の側面から突出した部分の長さｄ２は、３ｍｍ以上１０ｍｍ以下であることが好ましい。
【００１６】
本実施形態において弾性部材３２は、図４からわかるように、ヘッド部１０の底面から側面にかけて設けられている。すなわち、弾性部材３２は、隅１２において、ヘッド部１０の底面の一部と２つの側面の各一部とを覆っている。これにより、ヘッド部１０の底面の角は、弾性部材３２によって覆い隠されている。なお、同図は、ヘッド部１０の底面の対角線を含み、かつ当該底面に垂直な面を示している。
【００１７】
弾性部材３２は、隅１２にのみ設けられている。ここで、ヘッド部１０の底面を構成する矩形と１つの頂点を共有し、かつ１辺の長さが上記矩形の短辺の長さの４分の１に等しい正方形を考えたとき、平面視で当該正方形に重なる領域（図３に斜線で示した領域）をヘッド部１０の隅として定義する。
【００１８】
図１に戻って、ヘッド部１０の四隅の他の１つである隅１４（第２の隅）には、弾性部材３４（第２の弾性部材）が取り付けられている。弾性部材３４は、ゴム等の弾性材料からなる。弾性部材３４は、ヘッド部１０よりも柔らかく変形しやすい。弾性部材３４の弾性率は、弾性部材３２の弾性率と同じであってもよいし、異なっていてもよい。弾性部材３４は、弾性部材３２から離間して設けられている。弾性部材３４は、ヘッド部１０に対して着脱可能であることが好ましい。
【００１９】
弾性部材３４は、図２からわかるように、側面視でヘッド部１０の底面から突出している。弾性部材３４におけるヘッド部１０の底面から突出した部分の長さは、２ｍｍ以上５ｍｍ以下であることが好ましい。また、弾性部材３４は、図３からわかるように、平面視でヘッド部１０の側面から突出している。弾性部材３４におけるヘッド部１０の側面から突出した部分の長さは、３ｍｍ以上１０ｍｍ以下であることが好ましい。
【００２０】
本実施形態において弾性部材３４は、弾性部材３２と同様、ヘッド部１０の底面から側面にかけて設けられている。すなわち、弾性部材３４は、隅１４において、ヘッド部１０の底面の一部と２つの側面の各一部とを覆っている。これにより、ヘッド部１０の底面の角は、弾性部材３４によって覆い隠されている。弾性部材３４は、隅１４にのみ設けられている。
【００２１】
図１に戻って、ヘッド部１０の四隅の他の１つである隅１６（第３の隅）には、弾性部材３６（第３の弾性部材）が取り付けられている。弾性部材３６は、ゴム等の弾性材料からなる。弾性部材３６は、ヘッド部１０よりも柔らかく変形しやすい。弾性部材３６の弾性率は、弾性部材３２及び弾性部材３４の弾性率と同じであってもよいし、異なっていてもよい。弾性部材３６は、弾性部材３２及び弾性部材３４から離間して設けられている。弾性部材３６は、ヘッド部１０に対して着脱可能であることが好ましい。
【００２２】
弾性部材３６は、弾性部材３２，３４と同様、側面視でヘッド部１０の底面から突出している。弾性部材３６におけるヘッド部１０の底面から突出した部分の長さは、２ｍｍ以上５ｍｍ以下であることが好ましい。また、弾性部材３６は、図３からわかるように、平面視でヘッド部１０の側面から突出している。弾性部材３６におけるヘッド部１０の側面から突出した部分の長さは、３ｍｍ以上１０ｍｍ以下であることが好ましい。
【００２３】
本実施形態において弾性部材３６は、図４からわかるように、ヘッド部１０の底面から側面にかけて設けられている。すなわち、弾性部材３６は、隅１６において、ヘッド部１０の底面の一部と２つの側面の各一部とを覆っている。これにより、ヘッド部１０の底面の角は、弾性部材３６によって覆い隠されている。弾性部材３６は、隅１６にのみ設けられている。
【００２４】
図１に戻って、ヘッド部１０の四隅の残りの１つである隅１８（第４の隅）には、弾性部材３８（第４の弾性部材）が取り付けられている。弾性部材３８は、ゴム等の弾性材料からなる。弾性部材３８は、ヘッド部１０よりも柔らかく変形しやすい。弾性部材３８の弾性率は、弾性部材３２、弾性部材３４及び弾性部材３６の弾性率と同じであってもよいし、異なっていてもよい。弾性部材３８は、弾性部材３２、弾性部材３４及び弾性部材３６から離間して設けられている。弾性部材３８は、ヘッド部１０に対して着脱可能であることが好ましい。
【００２５】
弾性部材３８は、弾性部材３２，３４，３６と同様、側面視でヘッド部１０の底面から突出している。弾性部材３８におけるヘッド部１０の底面から突出した部分の長さは、２ｍｍ以上５ｍｍ以下であることが好ましい。また、弾性部材３８は、図３からわかるように、平面視でヘッド部１０の側面から突出している。弾性部材３８におけるヘッド部１０の側面から突出した部分の長さは、３ｍｍ以上１０ｍｍ以下であることが好ましい。
【００２６】
本実施形態において弾性部材３８は、弾性部材３２，３４，３６と同様、ヘッド部１０の底面から側面にかけて設けられている。すなわち、弾性部材３８は、隅１８において、ヘッド部１０の底面の一部と２つの側面の各一部とを覆っている。これにより、ヘッド部１０の底面の角は、弾性部材３８によって覆い隠されている。弾性部材３８は、隅１８にのみ設けられている。
【００２７】
清掃用具１の効果を説明する。清掃用具１においては、ヘッド部１０の隅１２に弾性部材３２が取り付けられている。弾性部材３２は、ヘッド部１０の底面及び側面から突出している。このため、ヘッド部１０の隅１２を部屋の角（床面と２つの壁面とが集まる部分）に押し付けることにより、弾性部材３２を変形させて当該角に密着させることができる。これにより、部屋の角においても、床の清掃を充分に行うことができる。したがって、部屋の角においても床を清掃しやすい清掃用具１が実現されている。
【００２８】
弾性部材３２は、隅１２にのみ設けられている。このように比較的狭い領域に弾性部材３２を設けることにより、ヘッド部１０の隅１２を部屋の角に押し付ける際、当該領域に力を集中させることができる。これにより、部屋の角に対する弾性部材３２の密着度が高まるため、部屋の角における床の清掃が一層容易になる。
【００２９】
弾性部材３２は、ヘッド部１０の底面から側面にかけて設けられている。これにより、ヘッド部１０の隅１２を部屋の角に押し付ける際、ヘッド部１０の底面及び側面の双方を通じて弾性部材３２に力を加えることができる。このことも、部屋の角に対する弾性部材３２の密着度の向上に資する。
【００３０】
弾性部材３２におけるヘッド部１０の底面から突出した部分の長さｄ１（図２参照）が小さすぎると、弾性部材３２の変形量が不足し、当該弾性部材３２を部屋の角（特に床面）に密着させにくくなる。かかる観点から、長さｄ１は、２ｍｍ以上であることが好ましい。他方、長さｄ１が大きすぎると、部屋の角以外の部分において床を清掃する際に、弾性部材３２が邪魔になってしまう。かかる観点から、長さｄ１は、５ｍｍ以下であることが好ましい。
【００３１】
弾性部材３２におけるヘッド部１０の側面から突出した部分の長さｄ２（図３参照）が小さすぎると、弾性部材３２の変形量が不足し、当該弾性部材３２を部屋の角（特に壁面）に密着させにくくなる。かかる観点から、長さｄ２は、３ｍｍ以上であることが好ましい。他方、長さｄ２が大きすぎると、ヘッド部１０から部屋の角までの水平距離が長くなるため、当該角においてヘッド部１０を通じて弾性部材３２に加わる下向きの力（床面を押す力）が弱くなってしまう。かかる観点から、長さｄ２は、１０ｍｍ以下であることが好ましい。
【００３２】
弾性部材３２がヘッド部１０に対して着脱可能である場合、清掃用具１は、弾性部材３２が取り付けられた状態、及び弾性部材３２が取り外された状態の２通りの使い方が可能となるため、使用者にとっての利便性が高まる。例えば、部屋の角において床を清掃するときは弾性部材３２が取り付けられた状態で清掃用具１を使用し、部屋の角以外の部分において床を清掃するときは弾性部材３２が取り外された状態で清掃用具１を使用することが考えられる。
【００３３】
ヘッド部１０の隅１４に弾性部材３４が取り付けられている。弾性部材３４は、ヘッド部１０の底面及び側面から突出している。このため、ヘッド部１０の隅１４を部屋の角に押し付けることにより、弾性部材３４を変形させて当該角に密着させることができる。これにより、部屋の角においても、床の清掃を充分に行うことができる。
【００３４】
弾性部材３４は、隅１４にのみ設けられている。このように比較的狭い領域に弾性部材３４を設けることにより、ヘッド部１０の隅１４を部屋の角に押し付ける際、当該領域に力を集中させることができる。これにより、部屋の角に対する弾性部材３４の密着度が高まるため、部屋の角における床の清掃が一層容易になる。
【００３５】
弾性部材３４は、ヘッド部１０の底面から側面にかけて設けられている。これにより、ヘッド部１０の隅１４を部屋の角に押し付ける際、ヘッド部１０の底面及び側面の双方を通じて弾性部材３４に力を加えることができる。このことも、部屋の角に対する弾性部材３４の密着度の向上に資する。
【００３６】
弾性部材３４におけるヘッド部１０の底面から突出した部分の長さが小さすぎると、弾性部材３４の変形量が不足し、当該弾性部材３４を部屋の角（特に床面）に密着させにくくなる。かかる観点から、上記長さは、２ｍｍ以上であることが好ましい。他方、上記長さが大きすぎると、部屋の角以外の部分において床を清掃する際に、弾性部材３４が邪魔になってしまう。かかる観点から、上記長さは、５ｍｍ以下であることが好ましい。
【００３７】
弾性部材３４におけるヘッド部１０の側面から突出した部分の長さが小さすぎると、弾性部材３４の変形量が不足し、当該弾性部材３４を部屋の角（特に壁面）に密着させにくくなる。かかる観点から、上記長さは、３ｍｍ以上であることが好ましい。他方、上記長さが大きすぎると、ヘッド部１０から部屋の角までの水平距離が長くなるため、当該角においてヘッド部１０を通じて弾性部材３４に加わる下向きの力（床面を押す力）が弱くなってしまう。かかる観点から、上記長さは、１０ｍｍ以下であることが好ましい。
【００３８】
弾性部材３４がヘッド部１０に対して着脱可能である場合、清掃用具１は、弾性部材３４が取り付けられた状態、及び弾性部材３４が取り外された状態の２通りの使い方が可能となるため、使用者にとっての利便性が高まる。例えば、部屋の角において床を清掃するときは弾性部材３４が取り付けられた状態で清掃用具１を使用し、部屋の角以外の部分において床を清掃するときは弾性部材３４が取り外された状態で清掃用具１を使用することが考えられる。
【００３９】
弾性部材３４が弾性部材３２と異なる弾性率を有する場合、使用者の筋力等に応じて、弾性部材３２と弾性部材３４とを使い分けることができる。例えば、筋力の低い使用者が清掃用具１を用いて部屋の角を清掃するときは弾性部材３２又は弾性部材３４のうち弾性率が低い（変形しやすい）方を使用し、筋力の高い使用者が清掃用具１を用いて部屋の角を清掃するときは弾性部材３２又は弾性部材３４のうち弾性率が高い（変形しにくい）方を使用することが考えられる。
【００４０】
ヘッド部１０の隅１６に弾性部材３６が取り付けられている。弾性部材３６は、ヘッド部１０の底面及び側面から突出している。このため、ヘッド部１０の隅１６を部屋の角に押し付けることにより、弾性部材３６を変形させて当該角に密着させることができる。これにより、部屋の角においても、床の清掃を充分に行うことができる。
【００４１】
弾性部材３６は、隅１６にのみ設けられている。このように比較的狭い領域に弾性部材３６を設けることにより、ヘッド部１０の隅１６を部屋の角に押し付ける際、当該領域に力を集中させることができる。これにより、部屋の角に対する弾性部材３６の密着度が高まるため、部屋の角における床の清掃が一層容易になる。
【００４２】
弾性部材３６は、ヘッド部１０の底面から側面にかけて設けられている。これにより、ヘッド部１０の隅１６を部屋の角に押し付ける際、ヘッド部１０の底面及び側面の双方を通じて弾性部材３６に力を加えることができる。このことも、部屋の角に対する弾性部材３６の密着度の向上に資する。
【００４３】
弾性部材３６におけるヘッド部１０の底面から突出した部分の長さが小さすぎると、弾性部材３６の変形量が不足し、当該弾性部材３６を部屋の角（特に床面）に密着させにくくなる。かかる観点から、上記長さは、２ｍｍ以上であることが好ましい。他方、上記長さが大きすぎると、部屋の角以外の部分において床を清掃する際に、弾性部材３６が邪魔になってしまう。かかる観点から、上記長さは、５ｍｍ以下であることが好ましい。
【００４４】
弾性部材３６におけるヘッド部１０の側面から突出した部分の長さが小さすぎると、弾性部材３６の変形量が不足し、当該弾性部材３６を部屋の角（特に壁面）に密着させにくくなる。かかる観点から、上記長さは、３ｍｍ以上であることが好ましい。他方、上記長さが大きすぎると、ヘッド部１０から部屋の角までの水平距離が長くなるため、当該角においてヘッド部１０を通じて弾性部材３６に加わる下向きの力（床面を押す力）が弱くなってしまう。かかる観点から、上記長さは、１０ｍｍ以下であることが好ましい。
【００４５】
弾性部材３６がヘッド部１０に対して着脱可能である場合、清掃用具１は、弾性部材３６が取り付けられた状態、及び弾性部材３６が取り外された状態の２通りの使い方が可能となるため、使用者にとっての利便性が高まる。例えば、部屋の角において床を清掃するときは弾性部材３６が取り付けられた状態で清掃用具１を使用し、部屋の角以外の部分において床を清掃するときは弾性部材３６が取り外された状態で清掃用具１を使用することが考えられる。
【００４６】
ヘッド部１０の隅１８に弾性部材３８が取り付けられている。弾性部材３８は、ヘッド部１０の底面及び側面から突出している。このため、ヘッド部１０の隅１８を部屋の角に押し付けることにより、弾性部材３８を変形させて当該角に密着させることができる。これにより、部屋の角においても、床の清掃を充分に行うことができる。
【００４７】
弾性部材３８は、隅１８にのみ設けられている。このように比較的狭い領域に弾性部材３８を設けることにより、ヘッド部１０の隅１８を部屋の角に押し付ける際、当該領域に力を集中させることができる。これにより、部屋の角に対する弾性部材３８の密着度が高まるため、部屋の角における床の清掃が一層容易になる。
【００４８】
弾性部材３８は、ヘッド部１０の底面から側面にかけて設けられている。これにより、ヘッド部１０の隅１８を部屋の角に押し付ける際、ヘッド部１０の底面及び側面の双方を通じて弾性部材３８に力を加えることができる。このことも、部屋の角に対する弾性部材３８の密着度の向上に資する。
【００４９】
弾性部材３８におけるヘッド部１０の底面から突出した部分の長さが小さすぎると、弾性部材３８の変形量が不足し、当該弾性部材３８を部屋の角（特に床面）に密着させにくくなる。かかる観点から、上記長さは、２ｍｍ以上であることが好ましい。他方、上記長さが大きすぎると、部屋の角以外の部分において床を清掃する際に、弾性部材３８が邪魔になってしまう。かかる観点から、上記長さは、５ｍｍ以下であることが好ましい。
【００５０】
弾性部材３８におけるヘッド部１０の側面から突出した部分の長さが小さすぎると、弾性部材３８の変形量が不足し、当該弾性部材３８を部屋の角（特に壁面）に密着させにくくなる。かかる観点から、上記長さは、３ｍｍ以上であることが好ましい。他方、上記長さが大きすぎると、ヘッド部１０から部屋の角までの水平距離が長くなるため、当該角においてヘッド部１０を通じて弾性部材３８に加わる下向きの力（床面を押す力）が弱くなってしまう。かかる観点から、上記長さは、１０ｍｍ以下であることが好ましい。
【００５１】
弾性部材３８がヘッド部１０に対して着脱可能である場合、清掃用具１は、弾性部材３８が取り付けられた状態、及び弾性部材３８が取り外された状態の２通りの使い方が可能となるため、使用者にとっての利便性が高まる。例えば、部屋の角において床を清掃するときは弾性部材３８が取り付けられた状態で清掃用具１を使用し、部屋の角以外の部分において床を清掃するときは弾性部材３８が取り外された状態で清掃用具１を使用することが考えられる。
【００５２】
本発明による清掃用具は、上記実施形態に限られるものではなく、様々な変形が可能である。上記実施形態においては、弾性部材がヘッド部１０の四隅の全てに取り付けられた例を示した。しかし、弾性部材は、ヘッド部１０の四隅のうち少なくとも１つに取り付けられていればよい。すなわち、弾性部材３２，３４，３６，３８のうち少なくとも１つが設けられていればよい。
【００５３】
上記実施形態においては、弾性部材３２の上端がヘッド部１０の側面の上端にまで達している場合を例示した。しかし、弾性部材３２の上端は、図５に示すように、ヘッド部１０の側面の途中に位置していてもよい。同図は、図４と同様の断面を示している。弾性部材３４，３６，３８についても同様である。
【００５４】
上記実施形態においては、ヘッド部１０の上面の大きさと底面の大きさとが等しい場合を例示した。しかし、ヘッド部１０の上面の大きさと底面の大きさとは、相異なっていてもよい。例えば、ヘッド部１０は、図６に示すように、上面よりも底面の方が大きい形状（四角錐台）をしていてもよい。同図は、図４と同様の断面を示している。
【符号の説明】
【００５５】
１  清掃用具
１０  ヘッド部
１２  隅（第１の隅）
１４  隅（第２の隅）
１６  隅（第３の隅）
１８  隅（第４の隅）
２０  柄
３２  弾性部材（第１の弾性部材）
３４  弾性部材（第２の弾性部材）
３６  弾性部材（第３の弾性部材）
３８  弾性部材（第４の弾性部材）
【図１】
0006271479.tif 000002
【図２】
0006271479.tif 000003
【図３】
0006271479.tif 000004
【図４】
0006271479.tif 000005
【図５】
0006271479.tif 000006
【図６】
0006271479.tif 000007